(57)【要約】【課題】コイン返却口およびコイン返却皿の幅を広めに構成した場合でも、盗難防止性能を良好に維持することができる自動販売機の扉構造を提供する。【解決手段】コインを種類別に選別して格納し、釣銭を払い出す硬貨処理装置を備え、コイン返却口１１が設けられるコイン排出皿１５を前面扉２の前面パネル１８よりも手前側に突出させて、コイン返却口１１が上方に開口するように配設し、コイン返却口１１の上部に、手が奥まで入ることを阻止する規制板４０を配設した。これにより、盗難防止性能を向上させることができる。【選択図】図６
2008198146.tif 000002
【特許請求の範囲】
【請求項１】
コインを種類別に選別して格納し、釣銭を払い出す硬貨処理装置を備え、
コイン返却口が設けられるコイン排出皿を前面扉の前面パネルよりも手前側に突出させて、コイン返却口の少なくとも一部が上方に開口するように配設し、
コイン返却口の上部に、手が奥まで入ることを阻止する規制板を配設したことを特徴とする自動販売機の扉構造。
【請求項２】
コイン排出皿におけるコイン返却口の底面部となる箇所を正面から見て幅方向中央部が最も窪む球面状または傾斜面状の断面形状に形成したことを特徴とする請求項１に記載の自動販売機の扉構造。
【請求項３】
規制板の下縁部の幅方向中央部を上方に切欠いて、この切欠部および切欠部に続く下方の隙間部分から、自動販売機で扱う最大径のコインが少なくとも横向きでは通るように構成したことを特徴とする請求項２に記載の自動販売機の扉構造。
【請求項４】
規制板における少なくとも一部を透明に構成して、この透明部を通して、コイン返却口の奥側部分を透視可能に構成したことを特徴とする請求項１〜３の何れか１項に記載の自動販売機の扉構造。
【請求項５】
コイン返却口をなすコイン排出皿の底面部と、硬貨処理装置からコイン返却口への排出シュートとを一体化したことを特徴とする請求項１〜４の何れか１項に記載の自動販売機の扉構造。
【請求項６】
コイン排出皿における前端部内面を側面断面視して上方ほど後方に反った形状に形成したことを特徴とする請求項１〜５の何れか１項に記載の自動販売機の扉構造。
【請求項７】
規制板に、硬貨処理装置から排出シュート上に排出されたコインを案内するとともに規制板を後方から補強するガイドリブを形成したことを特徴とする請求項１〜６の何れか１項に記載の自動販売機の扉構造。
【発明の詳細な説明】
【技術分野】
【０００１】
本発明は自動販売機の扉構造に関する。
【背景技術】
【０００２】
一般の自動販売機では、釣銭が排出されるコイン返却口や商品が排出される商品取出口は、前面扉の下部に、その開口部が前方に向く姿勢で配設されている。このように前面扉の下部にコイン返却口や商品取出口が配設されていると、釣銭や商品を取る際に、腰を屈めなければならないなど不便であり、また、車椅子を利用している身体障害者などの利用者が自動販売機を利用する場合には、手の届く範囲が限られるため、釣銭や商品の取り出しが困難となる。
【０００３】
このような問題に対処する自動販売機として、図１０、図１１に簡略的に示すように、商品取出口５１やコイン返却口５２を、自動販売機の前面扉５０における高さ方向中央部や下部の中央寄り位置に配置したり、コイン投入口５３を、前面扉５０における高さ方向中央部付近に配置したものが特許文献１等により開示されている。また、コインの投入の容易化や釣銭の取り出しの容易化を図るべく、投入コインを案内するするコイン投入ガイド５４を手前側に突出させるとともに奥側が下方になるように傾斜させて形成したり、コイン返却口５２の外枠部分をなすコイン返却皿５５を手前側に突出させるとともに手の握り部分を挿入できるように大きめに形成したりした構成も開示されている。
【０００４】
このような構成によれば、商品取出口５１やコイン返却口５２、コイン投入口５３が、前面扉５０の高さ方向中央部付近に配置されているので、釣銭や商品を取る際でも、腰を屈めなくても済み、また、車椅子を利用している身体障害者などの利用者が、車椅子に座ったままの姿勢などでも利用することができる。また、コインを投入させる際に案内するコイン投入ガイド５４が手前側に突出させて設けられているので、車椅子を利用しているものも含めた利用客による、コインの投入動作や取出し動作を容易に行うことができて、便利である。
【０００５】
ところで、自動販売機には、コインを種類別に選別して格納し、釣銭を払い出す硬貨処理装置（いわゆるコインメック）が備えられている。そして、このコインメックから排出されたコインが、コインメックとコイン返却口５２との間に介装されたシュートを介して、コイン返却皿５５上のコイン返却口５２に払い出される。この場合に、上記構成においては、コイン返却口５２が一般の自動販売機の場合よりも上方に配置されるため、コインメックをコイン返却口５２の直ぐ上方位置に近づけて配置する場合が多くなり、コインメックとコイン返却口５２とを繋ぐシュートも短めに形成される場合が多い。
【０００６】
また、コインメックにおいては、コインが横向きの姿勢で排出されるよう配置される構造が多いため、そのまま横向きの姿勢で排出できるように、コイン返却口５２およびコイン返却皿５５の幅が広めに構成される。
【特許文献１】特開２００４−１６４１１０公報
【発明の開示】
【発明が解決しようとする課題】
【０００７】
しかしながら、上記のように、コインが良好に排出されたり、釣銭としてのコインを取り出し易いようにすべく、コイン返却口５２およびコイン返却皿５５の幅を広めに構成し、かつ、シュートを短めに構成する場合には、コイン返却口５２を通して、コインメック側に手を差し込み易くなるため、盗難防止性能が低下してしまう。
【０００８】
本発明は上記課題を解決するもので、コイン返却口およびコイン返却皿の幅を広めに構成した場合でも、盗難防止性能を良好に維持することができる自動販売機の扉構造を提供することを目的とするものである。
【課題を解決するための手段】
【０００９】
上記課題を解決するために本発明の自動販売機の扉構造は、コインを種類別に選別して格納し、釣銭を払い出す硬貨処理装置を備え、コイン返却口が設けられるコイン排出皿を前面扉の前面パネルよりも手前側に突出させて、コイン返却口の少なくとも一部が上方に開口するように配設し、コイン返却口の上部に、手が奥まで入ることを阻止する規制板を配設したことを特徴とする。
【００１０】
この構成により、コイン返却口およびコイン返却皿の幅を広めに構成した場合でも、コイン返却口の上部に配設した規制板によってコイン返却口より手が奥まで入ることを阻止することができ、盗難防止性能を向上させることができる。
【００１１】
また、本発明は、コイン排出皿におけるコイン返却口の底面部となる箇所を正面から見て幅方向中央部が最も窪む球面状または傾斜面状の断面形状に形成したことを特徴とする。
【００１２】
この構成により、排出されたコインが、コイン返却口の底面部における球面状または傾斜面状に窪んだ断面形状における中央部分に集まり、また、コイン返却口の底面部から隙間が空いた状態となり易いので、コインを取り出し易くなる。
【００１３】
また、本発明は、規制板の下縁部の幅方向中央部を上方に切欠いて、この切欠部および切欠部に続く下方の隙間部分から、自動販売機で扱う最大径のコインが少なくとも横向きでは通るように構成したことを特徴とする。
【００１４】
この構成により、当該自動販売機で扱う最大径のコインであっても、規制板の下縁部の幅方向中央部に形成した切欠部および切欠部に続く隙間部分を通してコイン返却口の外部に臨む箇所にコインを良好に排出できる。
【００１５】
また、本発明は、規制板における少なくとも一部を透明に構成して、この透明部を通して、コイン返却口の奥側部分を透視可能に構成したことを特徴とする。
この構成により、規制板により規制板の背面側にコインが当接して立った状態で止まってしまった場合でも、この状況を規制板の透明部を通して視認することができ、この場合には規制板とコイン返却皿との間の隙間から指を挿入してコインを倒すことで、コインを規制板よりも手前側に排出可能である。
【００１６】
また、本発明は、コイン返却口をなすコイン排出皿の底面部と、硬貨処理装置からコイン返却口への排出シュートとを一体化したことを特徴とする。
この構成により、簡単な構成で排出シュートとコイン排出皿とを一体化できて部品点数を減らすことができて、製造コストの低減を図ることができる。
【００１７】
また、本発明は、コイン排出皿における前端部内面を側面断面視して上方ほど後方に反った形状に形成したことを特徴とする。
この構成により、コイン返却口にコインが排出された際に、手の握り部分（各指の先端部）をコイン排出皿における前端部内面に沿うように手前側に握る（動かす）ことで、コインが自然に裏返って手の中に入り、これにより、容易にコインを取ることができる。
【００１８】
また、本発明は、規制板に、硬貨処理装置から排出シュート上に排出されたコインを案内するとともに規制板を後方から補強するガイドリブを形成したことを特徴とする。
この構成により、ガイドリブによってコインをコイン返却口側に良好に案内できると同時に規制板を後方から補強でき、しかも案内機能と補強機能とを１つの部品部で兼用したため、それぞれ別個の部品で構成する場合と比較して製造コストの低減化を図ることができる。
【発明の効果】
【００１９】
本発明によれば、コイン返却口が設けられるコイン排出皿を前面扉の前面パネルよりも手前側に突出させるとともに、コイン返却口の上部に、手が奥まで入ることを阻止する規制板を配設したので、コイン返却口およびコイン返却皿の幅を広めに構成して、使い勝手を良好に維持できながら、盗難防止性能を向上させることができる。
【００２０】
また、コイン排出皿におけるコイン返却口の底面部となる箇所を正面から見て幅方向中央部が最も窪む球面状または傾斜面状の断面形状に形成することにより、排出されたコインがコイン返却口の底面部における中央部分に集まり、また、コイン返却口の底面部から隙間が空いた状態となり易いので、コインを取り出し易くて便利である。
【００２１】
また、規制板の中央部を上方に少し切欠いて、排出する最大径のコインが少なくとも横向きでは通る形状に形成したことにより、最大径のコインであっても、規制板の中央部に形成した切欠部および切欠部に続く下方の隙間部分を通してコインを良好に排出することができて、コインが規制板が設けられている箇所で立ったままとなることを最小限に抑えながら、良好な盗難防止性能を維持できる。
【００２２】
また、規制板における少なくとも一部を透明に構成して、この透明部を通して、コイン返却口の奥側部分を透視可能に構成したことにより、規制板の背面側にコインが当接して立った状態で止まった場合でも、この状況を規制板の透明部を通して視認して対処することができる。
【００２３】
また、コイン返却口をなすコイン排出皿の底面部と、硬貨処理装置からコイン返却口へのシュートとを一体化したことにより、部品点数を減らすことができて、製造コストの低減を図ることができる。
【００２４】
また、コイン排出皿における前端部内面を側面断面視して上方ほど後方に反った形状に形成したことにより、手の握り部分（各指の先端部）をコイン排出皿の前端部内面に沿うように手前側に握ることで、コインが自然に裏返って手の中に入り、容易にコインを取ることができて便利である。
【００２５】
また、規制板に、硬貨処理装置から排出シュート上に排出されたコインを案内するとともに規制板を後方から補強するガイドリブを形成したことにより、防盗性能を向上させることができ、また、案内機能と補強機能とを１つの部品で兼用したため、それぞれ別個の部品で構成する場合と比較して製造コストの低減化を図ることができる。
【発明を実施するための最良の形態】
【００２６】
以下、本発明の実施の形態を図面を参照しながら説明する。なお、以下の説明の左右方向とは、自動販売機を正面から見た（正面視した）状態での左右方向として説明する。また、左右方向に沿う方向を自動販売機の幅方向（以下、単に幅方向）と称す。
【００２７】
図１〜図３に示すように、自動販売機本体１に縦軸心Ｏを中心として前面扉２が開閉自在に取り付けられている（この実施の形態では、縦軸心Ｏが自動販売機の左側端部に設けられている場合を示すが、これに限るものではなく、自動販売機の右側端部に設けてもよい）。前面扉２には展示室３が設けられ、この展示室３内に、複数の商品見本４が見本棚５上に左右に並べられてかつ上下複数段に展示されているとともに、この商品見本４に対応するように、商品を選択する商品選択ボタン６も並設されている。また、前面扉２には、商品を購入するためのコインを投入するコイン投入口７、紙幣を挿入する紙幣挿入口８、利用者が投入したコインなどの金額を表示する投入金額表示部９や、釣銭や投入金を返却させるための釣銭返却用押ボタン１０、釣銭や投入金が返却されるコイン返却口１１、商品が払い出される商品取出口１２などが設けられている。なお、この自動販売機は一般に建物の中などの屋内（雨水等がかからない箇所）に設置される。
【００２８】
この自動販売機では、前面扉２の高さ方向中央部における右側半分の領域に、前面扉２全体の前面部分をなす前面パネル１８よりも手前側に略数ｃｍ、島状に突出させた突出状部（突出操作部）１３が設けられ、この突出状部１３にそれぞれ上記した、コイン投入口７、紙幣挿入口８、投入金額表示部９、釣銭返却用押ボタン１０などが配設されている。
【００２９】
図２、図３などに示すように、突出状部１３には、右側の上面部分に、下方に窪んでコイン投入口７へコインを導入するコイン投入受皿１４が手前側に突出して形成され、コイン投入受皿１４の奥側部分にコイン投入口７が開口され、コイン投入受皿１４の内側にはコイン投入口７が最も低くなるようにコインを案内する傾斜面が形成されている。また、突出状部１３における右側の下部、すなわち、コイン投入受皿１４の下方には、自動販売機本体１に対して前面扉２が開かないようにロックするロック機構の錠装置３０（錠装置３０のロック操作ハンドル３１など）が配設されている。また、突出状部１３の左右方向（幅方向）中央部の上部に、奥側に押すことで釣銭の返却動作を行わせる釣銭返却用押ボタン１０が配設され、さらに、この釣銭返却用押ボタン１０が設けられている箇所の左隣箇所に、紙幣挿入口８が設けられている。紙幣挿入口８にも、紙幣を挿入し易くするために、紙幣を受けて案内する紙幣ガイド部１６が手前に突出して形成されている。また、突出状部１３における左側部分の上部に投入金額表示部９が配設されている。
【００３０】
また、この自動販売機では、展示室３の下部における左寄り部分が前面扉２における高さ方向中央部まで延ばされて設けられている。したがって、前面扉２における突出状部１３の左隣も展示室３とされ、この箇所にも、複数の商品見本４および商品選択ボタン６が左右に並設されている。
【００３１】
また、この自動販売機では、商品取出口１２やコイン返却口１１が、自動販売機の前面扉２における高さ方向中央部寄り位置、すなわち、一般の自動販売機よりも上方寄り位置に配設されている。商品取出口１２には、内開き式で透明な取出口扉１７が設けられ、商品が商品取出口１２に払い出された際に、透明な取出口扉１７を通して、商品を見つけ易いよう図られている。
【００３２】
また、図２、図３、図５、図６などに示すように、前面扉２における商品取出口１２の右隣にコイン返却口１１が設けられているが、このコイン返却口１１が設けられている箇所も、左隣に設けられた商品取出口１２の突出部分に続けて、前面扉２の前面パネル１８よりも手前側に島状に突出されて第２突出状部１９が設けられており、この第２突出状部１９にコイン返却口１１が設けられた構成とされている。そして、この第２突出状部１９に、コイン返却口１１を介して釣銭が払い出されるコイン排出皿１５が、手前側に突出し、かつ突出部分が下方に窪んだ形状で組込まれている。これにより、コイン返却口１１の一部が上方に開口するように配設されている。
【００３３】
ところで、図３〜図５などに示すように、この自動販売機においても、コインを種類別に選別して格納し、必要に応じて釣銭を払い出す硬貨処理装置（以下、コインメックと称す）２０が設けられている。このコインメック２０は、前面扉２における前面パネル１８の裏側に固定された支持プレート（図示せず）を介して、前面扉２における裏側部分、すなわち、前面扉２の前面パネル１８よりも奥側に内蔵されている。また、図４に示すように、コインメック２０とコイン投入口７との間には、コイン投入口７から投入されたコインＣを自然落下によりコインメック２０に案内するコイン導入シュート２１が介装されている。
【００３４】
図５に示すように、コインメック２０とコイン返却口１１との間には、コインメック２０から排出されたコインＣを自然落下により案内するコイン排出シュート２２が介装されている。そして、コイン返却口１１をなすコイン排出皿１５の奥側部分（後部）が、コイン排出シュート２２を兼用するように樹脂成形などにより一体化されて形成されており、このコイン排出シュート２２がコインメック２０のコイン排出口２０ａ（図５（ｂ）参照）に接続するよう配置されている。
【００３５】
図５〜図８に示すように、コイン排出シュート２２の箇所も含めてコイン排出皿１５は正面断面視して中央が下方に窪む略半円形の湾曲形状（球面形状）とされ、また、コイン排出皿１５の後部からなるコイン排出シュート２２は手前側が下方となるように傾斜されて形成されている。コイン返却口１１をなすコイン排出皿１５の前部は、前面パネル１８から少し突出した位置において一番深く下方に窪む湾曲形状とされ、さらに、コイン排出皿１５の前端部内面１５ａ（コイン返却口１１の開口部の前端部）は、側面断面視して上方ほど後方に反った形状に形成している。
【００３６】
なお、コイン排出皿１５は、その下面部両横部分から前方に突出するボス部１５ｆで、取付用ブラケット３３を介して、第２突出状部１９の下部内側部分に形成されたボス部分１９ｇにおいてねじなどにより固定されており、また、第２突出状部１９も裏面側に突出する複数のボス部１９ｂにねじ３４が螺合されて前面パネル１８に取り付けられている。また、図８に示すように、コイン排出皿１５の前部上面部分近傍には鍔状に外周側に延びる鍔状部１５ｅと、前後に延びるリブ１５ｄが形成され、第２突出状部１９において対応する箇所に前後に延びるように形成された突条部（図示せず）がこれらの鍔状部１５ｅとリブ１５ｄとの間に嵌合するように前後方向に（第２突出状部１９に対してコイン排出皿１５が相対的に前側に移動するように）スライドさせて嵌合させることによっても組み付けられるよう構成されている。
【００３７】
図５、図７に示すように、さらに、コイン返却口１１の上部には、このコイン返却口１１を通して手が奥まで入ることを阻止する規制板４０が配設され、この規制板４０は透明な例えば樹脂材料などで形成されている。第２突出状部１９におけるコイン返却口１１が設けられている箇所の上方部分が逆Ｕ字形状に開口され、この逆Ｕ字形状開口部１９ａの周壁部１９ｅにその規制板４０の上部外周部４０ａ’の近傍箇所が当てられるようにして組みつけられている。なお、この実施の形態では、規制板４０の上部外周に対応する箇所に、第２突出状部１９から後方に突出するボス部１９ｃ（図７（ａ）参照）が形成され、このボス部１９ｃにねじ込まれるねじ（図示せず）により、規制板４０が第２突出状部１９の裏面側に固定されている。なお、規制板４０の上部（前記第２突出状部１９の逆Ｕ字形状開口部１９ａに対応する箇所）４０ａの前面部分には、第２突出状部１９と同系色のシール４１が貼り付けられ、シール４１よりも後方が見えないように構成されている。また、図６に示すように、第２突出状部１９におけるコイン排出皿１５が配設されている箇所の左隣部分も、コイン返却口１１が設けられている箇所と同じように突出されてテーブル状とされており、このテーブル状部４２に、利用客が商品取出口１２から取り出した商品を一時的に置くことができるよう構成されている。
【００３８】
コイン返却口１１の上部に配設された規制板４０は、その下部４０ｂがコイン返却口１１の下面側に向かって垂下するように形成されており、この規制板４０の下部４０ｂと、コイン排出皿１５との間に指だけは挿入できるが、手全体を挿入することが前記規制板４０にて阻止されるよう構成されている。また、規制板４０の下縁部（下部４０ｂの下端部）における幅方向に対する中央部分は上方に少し切欠いた形状に形成され、この切欠部４０ｂ’およびこれに続く下方の隙間部分により、排出する最大径のコインＣが少なくとも横向きでは通る形状に形成されている。
【００３９】
詳しくは、図６（ｂ）に示すように、切欠部４０ｂ’が設けられた規制板４０の下縁部の形状と、この下縁部に下方から対向するコイン排出皿１５の略球面状の断面形状部分とから、これらの間の隙間部分の幅方向中央部分では、最大径のコイン（例えば、５００円玉）Ｃが横向き（正面視して、略左右方向に沿うような向き）となっていた場合だけでなく、縦向き（正面視して、略上下方向に沿うような向き）となっていた場合でも、このコインＣの直径よりも、この隙間部分の寸法が大きいので通過でき、また、前記隙間部分の、切欠部４０ｂ’よりも側方の、左寄り部分または右寄り部分では、図６（ｃ）に示すように、コインＣが縦向きで流れてきた場合には、この隙間部分の上下寸法が、コインＣの直径よりも小さいので、このままではコインＣが通過しないけれども、この際には、コイン排出皿１５の底部の断面形状が円弧状であるので、コインＣの下端部が、この球面上を幅方向中央側に滑って横向きに近い姿勢となり、この結果、コインＣは、殆ど詰まらないで、通過できるように構成されている。また、このように、前記隙間部分の左寄り部分や右寄り部分では、上下方向の隙間寸法が小さいため、手の平をこの隙間部分よりも奥に挿入できないよう構成されている。
【００４０】
また、図５、図９に示すように、規制板４０の下部４０ｂの背面から斜め上方に延びるように側面視略三角形状の複数のガイドリブ４０ｃが幅方向適当間隔毎に一体形成されており、規制板４０の上部４０ａと下部４０ｂとの境界部分から後方に延びる後延部４０ｄにガイドリブ４０ｃの上縁部分が接続されるように一体形成されている。このガイドリブ４０ｃは、コイン排出シュート２２において、コインメック２０のコイン排出口２０ａから排出されたコインＣを下方にガイドしてコイン返却口１１側に良好に案内するとともに、規制板４０の下部４０ｂを後方から補強して、この下部４０ｂが盗難を図ろうとする者などにより後方に強く押された場合でも、規制板４０の下部４０ｂが屈曲することを阻止して、規制板４０の下部４０ｂの損傷を防止する。また、規制板４０における後延部４０ｄと上部背面との間にも補強用のリブ４０ｆが複数、幅方向適当間隔毎に形成されている。また、規制板４０の後延部４０ｄは、コインメック２０の底面部におけるコイン排出口２０ａ以外の部分を下方から覆うことで、コイン返却口１１側からコインメック２０への悪戯を防止するようになっている。
【００４１】
上記構成において、コインメック２０のコイン排出口２０ａから排出されたコインＣは、図５に示すように、コイン排出シュート２２および規制板４０のガイドリブ４０ｃにより案内されながら、コイン排出シュート２２上を通過した後、規制板４０の下部中央に形成した切欠部４０ｂ’および切欠部４０ｂ’に続く隙間部分を通って、コイン返却口１１の外部に臨む箇所に良好に排出される。
【００４２】
この場合に、コイン排出皿１５におけるコイン返却口１１の底面部となる箇所が、正面から見て球面状に窪んだ断面形状に形成されているので、排出されたコインＣが、コイン返却口１１の底面部に中央部分に集まり、また、コイン返却口１１の底面部から隙間が空いた状態となり、底面部に密着しない。したがって、身体障害者などの利用者を含めた全ての利用者にとってコインＣを取り出し易くて便利である。なお、これに代えて、コイン排出皿１５におけるコイン返却口１１の底面部となる箇所を、正面から見て中央が窪む傾斜面状に形成してもよい。
【００４３】
また、コイン排出皿１５における前端部内面１５ａを側面断面視して上方ほど後方に反った形状に形成したので、コイン返却口１１にコインＣが排出された際に、手の握り部分（各指の先端部）をコイン排出皿１５の前端部内面１５ａに沿うように手前側に握る（移動させる）ことで、コインＣが自然に裏返って手の中に入り、これにより、容易にコインＣを取ることができて便利である。また、コインＣがコイン返却口１１から外にこぼれることを防止することもできる。
【００４４】
また、上記構成によれば、コイン返却口１１の上部に、手が奥まで入ることを阻止する規制板４０を配設したので、コイン返却口１１およびコイン返却皿１５の幅を広めに構成した場合でも、規制板４０によってコイン返却口１１より手が奥側に入ることを阻止することができ、盗難防止性能を向上させることができる。また、この場合に、規制板４０の下縁部の幅方向中央部を上方に切欠いて、この切欠部４０ｂ’および切欠部４０ｂ’に続く下方の隙間部分から、最大径のコインＣが少なくとも横向きでは通るように構成したので、コインＣが詰まることを最小限に抑えながら、良好な盗難防止性能を維持できる。また、規制板４０の下部４０ｂにその背面から斜め上方に延びるように側面視略三角形状の複数のガイドリブ４０ｃを設けて、このガイドリブ４０ｃによりコインＣをコイン返却口１１側に良好に案内するよう構成するとともに、これによって、規制板４０の下部４０ｂを後方から補強するように構成したので、盗難防止性能をさらに向上させることができる。また、コインＣの案内機能と規制板４０の補強機能とを１つの部品部（ガイドリブ４０ｃ）で兼用できたため、それぞれ別個の部品で構成する場合と比較して製造コストの低減化を図ることができる。
【００４５】
また、上記構成によれば、規制板４０の下部４０ｂを透明に構成して、この透明部分を通して、コイン返却口１１の奥側部分を透視可能に構成したので、万一、規制板４０の下部４０ｂにより規制板下部４０ｂの背面側にコインＣが当接して立った状態で止まってしまった場合でも、この状況を視認することができ、この場合には規制板４０とコイン返却皿１５との間の隙間から指を挿入してコインＣを倒すことで、コインＣを規制板４０よりも手前側に排出できる。
【００４６】
また、上記構成によれば、コイン返却口１１をなすコイン排出皿１５の底面部と排出シュート２２とを一体化した構成としたので、それぞれ別個の部品を用いる場合と比較して、部品点数を減らすことができて、製造コストの低減を図ることができる。
【００４７】
また、上記構成によれば、突出状部１３の上面部分にコイン投入受皿１４を形成したので、身体障害者などの利用者を含めた全ての利用者にとってコインＣの投入動作を行い易くなるとともに、複数枚のコインＣを一度に容易に投入できるようになり、利便性が向上する。
【００４８】
また、上記構成によれば、突出状部１３に、前面扉２の奥側に押すことで釣銭の返却動作を行わせる釣銭返却用押ボタン１０を設けたことにより、釣銭返却用押ボタン１０を奥側に押すことで釣銭の返却動作を行わせることができ、一般の自動販売機のように、返却レバーを回動させることにより返却動作を行わせる場合と比較して、身体障害者などの利用者を含めた全ての利用者にとってより使い易くなる。
【図面の簡単な説明】
【００４９】
【図１】本発明の実施の形態に係る自動販売機の全体正面図である。
【図２】同自動販売機の中央部から下部にかけての斜視図である。
【図３】同自動販売機の要部正面図である。
【図４】同自動販売機の突出状部およびコインメック近傍箇所の要部側面断面図である。
【図５】（ａ）および（ｂ）は同自動販売機の第２の突出状部およびその近傍箇所の要部正面図および側面断面図である。
【図６】（ａ）は同第２の突出状部およびその近傍箇所の要部斜視図、（ｂ）、（ｃ）はそれぞれ、コイン返却口における規制板が設けられている箇所の要部正面断面図である。
【図７】（ａ）および（ｂ）は同第２の突出状部を構成する樹脂部材の正面図および側面図である。
【図８】（ａ）〜（ｃ）は同第２の突出状部に組みつけられるコイン排出皿の平面図、正面図、および側面図である。
【図９】（ａ）〜（ｃ）は同第２の突出状部に組みつけられる規制板の正面図、側面図、および側面断面図である。
【図１０】従来の自動販売機の斜視図である。
【図１１】同従来の自動販売機の要部拡大斜視図である。
【符号の説明】
【００５０】
１      自動販売機本体
２      前面扉
７      コイン投入口
８      紙幣挿入口
９      投入金額表示部
１０    釣銭返却用押ボタン
１１    コイン返却口
１２    商品取出口
１３    突出状部（突出操作部）
１４    コイン投入受皿
１５    コイン排出皿
１８    前面パネル
１９    第２突出状部
２０    硬貨処理装置（コインメック）
２１    コイン導入シュート
２２    コイン排出シュート
３０    錠装置
４０    規制板
４１    シール
【図１】
2008198146.tif 000003
【図２】
2008198146.tif 000004
【図３】
2008198146.tif 000005
【図４】
2008198146.tif 000006
【図５】
2008198146.tif 000007
【図６】
2008198146.tif 000008
【図７】
2008198146.tif 000009
【図８】
2008198146.tif 000010
【図９】
2008198146.tif 000011
【図１０】
2008198146.tif 000012
【図１１】
2008198146.tif 000013